(57)【要約】【課題】エレベータの内部の表示部に情報を表示する際に、搭乗者がエレベータに搭乗してから情報が表示され始めるまでの時間を短くする。【解決手段】表示装置１０は、表示部１５０、搭乗時間記憶部１６０、時間決定部１３０、及び情報決定部１４０を備えている。表示部１５０はエレベータ２０のかご２２の内面に位置している。搭乗時間記憶部１６０は、人を互いに識別する人識別情報を時間特定情報に紐づけて記憶している。時間特定情報は、その人がかご２２に搭乗すると想定される時間を特定する情報である。時間決定部１３０は、かご２２に搭乗してきた搭乗者の人識別情報を取得し、取得した人識別情報及び搭乗時間記憶部１６０を用いて、搭乗者がかご２２に搭乗すると想定される時間を決定する。情報決定部１４０は、時間決定部１３０が決定した想定時間を用いて、表示部１５０に表示させる情報を決定する。【選択図】図１
2019202875.tif 000002
【特許請求の範囲】
【請求項１】
エレベータのかごの内面に取り付けられた表示部と、
人を互いに識別する人識別情報を、当該人が前記かごに搭乗すると想定される時間を特定する時間特定情報に紐づけて記憶する搭乗時間記憶部と、
前記かごに搭乗してきた搭乗者の前記人識別情報を取得し、前記人識別情報及び前記搭乗時間記憶部を用いて、前記搭乗者が前記かごに搭乗すると想定される時間である想定時間を決定する時間決定部と、
前記時間決定部が決定した前記想定時間を用いて前記表示部に表示させる情報を決定する情報決定部と、
を備える表示装置。
【請求項２】
請求項１に記載の表示装置において、
前記人識別情報は顔の特徴量を含んでおり、
前記かごの内部を撮影した画像を解析することにより、前記かごの中にいる人の前記特徴量を生成する画像解析部を備え、
前記時間決定部は、前記画像解析部から前記特徴量を、前記搭乗者の前記人識別情報の少なくとも一部として取得する表示装置。
【請求項３】
請求項１又は２に記載の表示装置において、
前記人の前記エレベータの利用実績を用いて前記搭乗時間記憶部を更新する搭乗時間更新部を備える表示装置。
【請求項４】
請求項３に記載の表示装置において、
前記搭乗時間更新部は、前記エレベータの制御部から取得した情報を用いて、前記搭乗時間記憶部を更新する表示装置。
【請求項５】
請求項３に記載の表示装置において、
前記搭乗時間更新部は、前記かごの内部を撮影した画像を解析した結果を用いて、前記搭乗時間記憶部を更新する表示装置。
【請求項６】
請求項１〜５のいずれか一項に記載の表示装置において、
前記搭乗時間記憶部、前記時間決定部、及び前記情報決定部の少なくとも一つは、前記かごの外部に位置している表示装置。
【請求項７】
請求項１〜５のいずれか一項に記載の表示装置において、
前記搭乗時間記憶部、前記時間決定部、及び前記情報決定部は、前記かごの中に位置している表示装置。
【請求項８】
請求項１〜７のいずれか一項に記載の表示装置において、
前記搭乗時間記憶部は、複数の時刻範囲毎に、前記時間特定情報を記憶しており、
前記時間決定部は、現在の時刻に対応する前記時間特定情報を用いて前記想定時間を決定する表示装置。
【請求項９】
請求項１〜７のいずれか一項に記載の表示装置において、
前記情報決定部は、
現在の時刻が第１の時刻範囲に含まれるときに、前記時間決定部が決定した時間を用いて前記表示部に表示させる情報を決定し、
現在の時刻が前記第１の時刻範囲とは異なる第２の時刻範囲に含まれるときに、前記第１の時刻範囲に含まれるときとは異なる方法で前記表示部に表示させる情報を決定する、表示装置。
【請求項１０】
請求項１〜９のいずれか一項に記載の表示装置において、
前記時間決定部は、前記かごが移動していない間に複数の前記人識別情報を取得した場合、前記複数の人識別情報のそれぞれに対応する前記想定時間を用いて前記想定時間を決定する、表示装置。
【請求項１１】
請求項１０に記載の表示装置において、
前記時間決定部は、前記かごに搭乗してきた搭乗者の数を用いて、前記複数の人識別情報のそれぞれに対応する前記想定時間を補正する表示装置。
【請求項１２】
請求項１１に記載の表示装置において、
前記時間決定部は、前記搭乗者の数が多くなるにつれて前記想定時間を長くする表示装置。
【請求項１３】
請求項１〜１２のいずれか一項に記載の表示装置において、
前記時間特定情報は、前記かごから降りる可能性が高い階を特定する情報を含む表示装置。
【請求項１４】
人を互いに識別する人識別情報を、当該人がエレベータのかごに搭乗すると想定される時間を特定する時間特定情報に紐づけて搭乗時間記憶部に記憶させておき、
コンピュータが、前記かごに搭乗してきた搭乗者の前記人識別情報を取得し、前記人識別情報及び前記搭乗時間記憶部を用いて、前記搭乗者が前記かごに搭乗すると想定される時間である想定時間を決定し、
前記コンピュータが、前記決定した前記想定時間を用いて、前記かごの内面に取り付けられた表示部に表示させる情報を決定する、表示部の制御方法。
【請求項１５】
コンピュータを、表示部に表示させる情報を決定する装置として機能させるためのプログラムであって、
前記表示部は、エレベータのかごの内面に取り付けられており、
前記コンピュータは、搭乗時間記憶部が記憶している情報を取得可能であり、
前記搭乗時間記憶部は、人を互いに識別する人識別情報を、当該人が前記かごに搭乗すると想定される時間を特定する時間特定情報に紐づけて記憶しており、
前記プログラムは、前記コンピュータに、
前記かごに搭乗してきた搭乗者の前記人識別情報を取得し、前記人識別情報及び前記搭乗時間記憶部を用いて、前記搭乗者が前記かごに搭乗すると想定される時間である想定時間を決定する機能と、
前記決定した前記想定時間を用いて、前記表示部に表示させる情報を決定する機能と、
を持たせるプログラム。
【発明の詳細な説明】
【技術分野】
【０００１】
本発明は、表示装置、表示部の制御方法、及びプログラムに関する。
【背景技術】
【０００２】
エレベータのかご内において、エレベータの搭乗者に対して、画像を表示する表示装置を設け、エレベータの搭乗者に対して情報を提供することが行われつつある。例えば特許文献１には、かごの中における搭乗者の位置と、乗客の出発階から目的階までの走行時間に基づいて、表示する情報を選択することが記載されている。特許文献１において、目的階は、かごの中の操作ボタンに対する操作を用いて判断されている。
【先行技術文献】
【特許文献】
【０００３】
【特許文献１】特開２０１７−１７８４８７号公報
【発明の概要】
【発明が解決しようとする課題】
【０００４】
上記したように、特許文献１に記載の技術では、出発階から目的階までの走行時間を、かごの中の操作ボタンが操作されるまで判断できない。このため、搭乗者がエレベータに搭乗してから情報が表示され始めるまでにある程度時間がかかることがあり、その結果、情報の再生時間が短くなることがあった。
【０００５】
本発明が解決しようとする課題の一例は、エレベータの内部に設けられた表示部に情報を表示する際に、搭乗者がエレベータに搭乗してから情報が表示され始めるまでの時間を短くすることにある。
【課題を解決するための手段】
【０００６】
本発明の一態様に係る表示装置は、
エレベータのかごの内面に取り付けられた表示部と、
人を互いに識別する人識別情報を、当該人が前記かごに搭乗すると想定される時間を特定する時間特定情報に紐づけて記憶する搭乗時間記憶部と、
前記かごに搭乗してきた搭乗者の前記人識別情報を取得し、前記人識別情報及び前記搭乗時間記憶部を用いて、前記搭乗者が前記かごに搭乗すると想定される時間である想定時間を決定する時間決定部と、
前記時間決定部が決定した前記想定時間を用いて前記表示部に表示させる情報を決定する情報決定部と、
を備えている。
【０００７】
本発明の一態様に係る表示部の制御方法は、以下の通りである。まず、人を互いに識別する人識別情報を、当該人が前記かごに搭乗すると想定される時間を特定する時間特定情報に紐づけて搭乗時間記憶部に記憶させていく。そして、コンピュータが、エレベータのかごに搭乗してきた搭乗者の前記人識別情報を取得し、前記人識別情報及び前記搭乗時間記憶部を用いて、前記搭乗者が前記かごに搭乗すると想定される時間である想定時間を決定する。さらに、前記コンピュータが、前記決定した前記想定時間を用いて、前記かごの内面に取り付けられた表示部に表示させる情報を決定する。
【０００８】
本発明の一態様に係るプログラムは、コンピュータを、表示部に表示させる情報を決定する装置として機能させるためのプログラムである。
前記表示部は、エレベータのかごの内面に取り付けられており、前記コンピュータは、搭乗時間記憶部が記憶している情報を取得可能である。また、前記搭乗時間記憶部は、人を互いに識別する人識別情報を、当該人が前記かごに搭乗すると想定される時間を特定する時間特定情報に紐づけて記憶している。
そして、前記プログラムは、前記コンピュータに、
前記かごに搭乗してきた搭乗者の前記人識別情報を取得し、前記人識別情報及び前記搭乗時間記憶部を用いて、前記搭乗者が前記かごに搭乗すると想定される時間である想定時間を決定する機能と、
前記決定した前記想定時間を用いて、前記表示部に表示させる情報を決定する機能と、
を持たせる。
【発明の効果】
【０００９】
本発明によれば、エレベータの内部に設けられた表示部に情報を表示する際に、搭乗者がエレベータに搭乗してから情報が表示され始めるまでの時間を短くすることができる。
【図面の簡単な説明】
【００１０】
【図１】第１の実施形態に係る表示装置の機能構成を示すブロック図である。
【図２】表示装置が使用されるエレベータの要部を示す図である。
【図３】搭乗時間記憶部が記憶している情報のデータ構成の一例を示す図である。
【図４】情報記憶部が記憶している情報のデータ構成の一例を示す図である。
【図５】表示装置のハードウェア構成の一例を示す図である。
【図６】表示装置が行う処理の一例を示すフローチャートである。
【図７】第２の実施形態に係る搭乗時間記憶部のデータ構成を示す図である。
【図８】第３の実施形態に係る表示装置の機能構成を示す図である。
【図９】（Ａ）及び（Ｂ）は搭乗時間記憶部のデータ構成を示す図である。
【図１０】第４の実施形態に係る表示装置の機能構成を示す図である。
【図１１】第５の実施形態に係る表示装置が行う処理の一例を示すフローチャートである。
【図１２】（Ａ）及び（Ｂ）は第６の実施形態に係る表示装置の機能を説明するための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（第１の実施形態）
図１は、第１の実施形態に係る表示装置１０の機能構成を示すブロック図である。図２は、表示装置１０が使用されるエレベータ２０の要部を示す図である。本実施形態に係る表示装置１０は、表示部１５０、搭乗時間記憶部１６０、時間決定部１３０、及び情報決定部１４０を備えている。表示部１５０はエレベータ２０のかご２２の内面に取り付けられている。搭乗時間記憶部１６０は、人を互いに識別する人識別情報を時間特定情報に紐づけて記憶している。時間特定情報は、その人がかご２２に搭乗すると想定される時間を特定する情報である。時間決定部１３０は、かご２２に搭乗してきた搭乗者の人識別情報を取得し、取得した人識別情報及び搭乗時間記憶部１６０を用いて、搭乗者がかご２２に搭乗すると想定される時間（以下、想定時間と記載）を決定する。情報決定部１４０は、時間決定部１３０が決定した想定時間を用いて、表示部１５０に表示させる情報を決定する。以下、詳細に説明する。
【００１３】
上記したように、表示部１５０はエレベータ２０のかご２２の内面取り付けられており、かご２２に搭乗している搭乗者に見せるべき情報を表示する。この情報は、エレベータ２０が設置されている建造物（例えば建物）に関する情報や、広告などであり、表示装置１０が有する情報記憶部１７０に記憶されている。情報記憶部１７０には複数の情報が記憶されている。そして情報決定部１４０は、情報記憶部１７０が記憶している情報のうち、表示部１５０に表示させる情報を、時間決定部１３０が決定した想定時間を用いて決定する。この想定時間は、上記したように、搭乗者がかご２２に搭乗すると想定される時間である。そして情報決定部１４０は、例えば、この想定時間内に表示が終了する情報を選択して表示部１５０に表示させる。
【００１４】
情報記憶部１７０が記憶している情報は、表示装置１０が有する情報更新部１７５によって繰り返し（例えば定期的に）更新される。例えば、情報更新部１７５は、表示装置１０の外の情報サーバ３０に記憶されている情報を読み出して情報記憶部１７０に記憶させる。なお、情報サーバ３０に記憶されている情報も繰り返し（例えば定期的に）更新されているが、情報更新部１７５による情報記憶部１７０の更新頻度は、情報サーバ３０の更新頻度よりも低い。例えば情報サーバ３０が記憶している情報が毎日更新される場合、情報記憶部１７０が記憶している情報は、１週間ごとに更新される。ただし、情報サーバ３０の更新頻度及び情報記憶部１７０の更新頻度は、上記した例に限定されない。
【００１５】
表示装置１０は、さらに、撮像部１１０、画像解析部１２０、及び搭乗時間更新部１６５を備えている。
【００１６】
撮像部１１０は、エレベータ２０のかご２２の内部を撮像して画像データを生成する。言い換えると、撮像部１１０は、かご２２に搭乗した人の顔を撮像する。撮像部１１０が撮像する画像のフレームレートは任意である。例えばこのフレームレートは動画を構成する程度のレート（例えば２９フレーム／秒以上）であってもよいし、動画を構成しない程度のレート（例えば１５フレーム／秒以下）であってもよい。
【００１７】
画像解析部１２０は、撮像部１１０が生成した画像データを解析する。一例として、画像解析部１２０は、特徴量の抽出処理を行う。ここで抽出される特徴量は、人の顔を個別に識別するための特徴量を含んでいる。
【００１８】
時間決定部１３０は、画像解析部１２０が抽出した特徴量を用いて想定時間を決定する。時間決定部１３０が行う処理の詳細については、フローチャートを用いて後述する。
【００１９】
搭乗時間更新部１６５は、人別のエレベータの利用実績を用いて、搭乗時間記憶部１６０が記憶している情報を更新する。人別のエレベータの利用実績は、例えば画像解析部１２０の解析結果を用いて生成される。搭乗時間更新部１６５が行う処理の詳細については、フローチャートを用いて後述する。
【００２０】
なお、図２に示すように、エレベータ２０は、制御部２４を備えている。制御部２４は、かご２２の内面に設けられた操作部２６から出力される情報を用いて、かご２２の上下動を制御する。操作部２６から出力される情報には、かご２２をどの階で停止させるべきかを示す情報が含まれている。
【００２１】
図３は、搭乗時間記憶部１６０が記憶している情報のデータ構成の一例をテーブル形式で示す図である。本図に示す例において、搭乗時間記憶部１６０は、人識別情報毎に、時間特定情報を記憶している。時間特定情報は、例えば過去の搭乗時間を統計的に処理した値を示す情報である。ここでの統計処理には、例えば平均値の算出処理、最頻値の算出処理、最小値の特定処理、及び最大値の特定処理が挙げられるが、これらに限定されない。エレベータ２０が設置されている建物に住んでいる人又は勤務している人において、乗る階及び降りる階は決まっていることが多い。このような場合、搭乗時間記憶部１６０が記憶している時間特定情報の精度は高くなる。
【００２２】
さらに搭乗時間記憶部１６０は、人識別情報毎に、エレベータ２０への搭乗実績を示す情報（以下、搭乗実績情報と記載）を記憶していてもよい。搭乗実績情報は、搭乗日時を示す情報及び搭乗時間を示す情報を含んでいる。この搭乗実績情報は、後述するように、画像解析部１２０による解析結果を用いて生成される。なお、搭乗時間記憶部１６０が記憶している情報のデータ構成は、本図に示す例に限定されない。
【００２３】
図４は、情報記憶部１７０が記憶している情報のデータ構成の一例をテーブル形式で示す図である。本図に示す例において、情報記憶部１７０は、表示すべき情報（表示データ）を記憶しているとともに、この表示データに紐づけて、その表示データを表示すべき時間の長さ（動画の場合は再生時間）を記憶している。情報記憶部１７０は、さらに、表示すべき情報のターゲットの属性（例えば性別や年齢層）を、表示データに紐づけて記憶していてもよい。表示データは静止画のデータであってもよいし動画データであってもよい。
【００２４】
図５は、表示装置１０のハードウェア構成の一例を示す図である。表示装置１０の主な構成は、集積回路を用いて実現される。この集積回路は、バス４０２、プロセッサ４０４、メモリ４０６、ストレージデバイス４０８、入出力インタフェース４１０、及びネットワークインタフェース４１２を有する。バス４０２は、プロセッサ４０４、メモリ４０６、ストレージデバイス４０８、入出力インタフェース４１０、及びネットワークインタフェース４１２が、相互にデータを送受信するためのデータ伝送路である。ただし、プロセッサ４０４などを互いに接続する方法は、バス接続に限定されない。プロセッサ４０４は、マイクロプロセッサなどを用いて実現される演算処理装置である。メモリ４０６は、RAM（Random Access Memory）などを用いて実現されるメモリである。ストレージデバイス４０８は、ROM（Read Only Memory）やフラッシュメモリなどを用いて実現されるストレージデバイスである。
【００２５】
入出力インタフェース４１０は、バス４０２をデバイスと接続するためのインタフェースである。本図において、入出力インタフェース４１０には撮像デバイス４１４及び表示デバイス４１６が接続されている。撮像デバイス４１４は図１の撮像部１１０の一例であり、表示デバイス４１６は図１の表示部１５０の一例である。
【００２６】
ネットワークインタフェース４１２は、表示装置１０を外部の通信網に接続するためのインタフェースである。ネットワークインタフェース４１２が通信網に接続する方法は、無線接続であってもよいし、有線接続であってもよい。
【００２７】
ストレージデバイス４０８は、表示装置１０の各機能要素を実現するためのプログラムモジュールを記憶している。プロセッサ４０４は、このプログラムモジュールをメモリ４０６に読み出して実行することで、表示装置１０の各機能を実現する。
【００２８】
なお、上記した集積回路のハードウエア構成は本図に示した構成に限定されない。例えば、プログラムモジュールはメモリ４０６に格納されてもよい。この場合、集積回路は、ストレージデバイス４０８を備えていなくてもよい。
【００２９】
なお、図５に示した表示装置１０の各要素は、一つの筐体の中に収容されていてもよい。この場合、表示装置１０は、例えばタブレット型の端末であり、かご２２の内面に後付けで取り付けることができる。この場合、表示装置１０の撮像部１１０、画像解析部１２０、時間決定部１３０、情報決定部１４０、表示部１５０、搭乗時間記憶部１６０、搭乗時間更新部１６５、情報記憶部１７０、及び情報更新部１７５は、かご２２に設けられることになる。
【００３０】
また、撮像デバイス４１４は、かご２２に予め取り付けられている監視カメラであってもよい。また、表示デバイス４１６は、かご２２に予め取り付けられている表示デバイスであってもよい。
【００３１】
また、図１に示した表示装置１０の画像解析部１２０、情報決定部１４０、表示部１５０、搭乗時間記憶部１６０、搭乗時間更新部１６５、情報記憶部１７０、及び情報更新部１７５の少なくとも一部は、かご２２の外部に位置していてもよい。かご２２の外部に位置する機能要素は、例えばクラウド型の装置を用いて実現されている。
【００３２】
図６は、表示装置１０が行う処理の一例を示すフローチャートである。このフローチャートに示した例において、表示装置１０は、人識別情報として顔の特徴量を用いている。
【００３３】
エレベータ２０の制御部２４は、目的の階にかご２２が到着すると、かご２２を静止させ、その後、かご２２のドア及びその階のドアを開ける。すると、かご２２に人が搭乗する。撮像部１１０は、かご２２に搭乗してきた人（以下、搭乗者と記載）の顔を含む画像データを生成し、表示装置１０の画像解析部１２０に出力する。画像解析部１２０は、この画像データに含まれる顔の特徴量を生成する（ステップＳ２０）。この際、画像解析部１２０は、さらに、搭乗者の属性、例えば性別や年齢層を決定してもよい。
【００３４】
次いで、表示装置１０の時間決定部１３０は、画像解析部１２０が生成した特徴量に対応する特徴量、すなわち一致度が最も高い特徴量を、搭乗時間更新部１６５が記憶している特徴量から選択する。そして時間決定部１３０は、搭乗時間更新部１６５から、選択した特徴量に紐づけられている時間特定情報を読み出す（ステップＳ４０）。そして時間決定部１３０は、読み出した時間特定情報を用いて、想定時間を決定する（ステップＳ６０）。例えば時間特定情報が過去の搭乗時間の統計的に処理した値を示している場合、時間決定部１３０は、この値を想定時間とする。ただし、時間決定部１３０は、時間特定情報が示す値に所定の値を引いた値、または、時間特定情報が示す値に所定の係数を乗じた値を、想定時間としてもよい。ここで用いられる係数は、例えば０超１以下であるが、これに限定されない。例えば、時間特定情報が、過去の搭乗時間の最小値又はこれに近い値として定義されている場合、上記した係数は、例えば１以上Ｎ以下になる。ここでＮは、エレベータ２０が設置されている構造物の階数に基づいて定められる。例えば弧の構造物が１０階建てであった場合、Ｎは１０になる。
【００３５】
次いで、表示装置１０の情報決定部１４０は、時間決定部１３０が決定した想定時間を用いて、表示部１５０に表示させるべき情報を情報記憶部１７０から読み出し、読み出した情報を表示部１５０に出力する（ステップＳ８０）。例えば情報決定部１４０は、表示時間が想定時間以下である情報のうち、最も長い情報を選択する。また、情報記憶部１７０が記憶している情報が広告情報であり、かつ、情報記憶部１７０が、各広告情報に表示時間及び単価を紐づけて記憶している場合、情報決定部１４０は、表示された広告の単価の合計値が最大となるように、表示すべき情報を選択／組み合わせてもよい。なお、上記した単価は、広告の累積表示回数によって変動することもあり得るが、この場合、情報記憶部１７０が記憶している単価には、この変動を随時反映される。
【００３６】
なお、画像解析部１２０が搭乗者の属性を決定している場合、情報決定部１４０は、画像解析部１２０が決定した属性に一致する情報を選択したうえで、さらに想定時間を用いた選択処理を行うのが好ましい。
【００３７】
そして、表示部１５０は、情報決定部１４０から受信した情報を表示し、かご２２の搭乗者に視認させる。
【００３８】
なお、画像解析部１２０は、画像データに含まれる顔の特徴量を、搭乗時間更新部１６５にも出力する。搭乗時間更新部１６５は、画像解析部１２０から出力された特徴量を用いて、搭乗者の搭乗時間を測定し（ステップＳ１００）、搭乗時間記憶部１６０を更新する（ステップＳ１２０）。
【００３９】
詳細には、かご２２の中に搭乗者が乗ると、搭乗時間更新部１６５は、その搭乗者の特徴量を認識することができる。その後、かご２２から搭乗者が降りると、搭乗時間更新部１６５は、その搭乗者の特徴量を認識できなくなる。搭乗時間記憶部１６０は、ある搭乗者の特徴量が認識され続けた時間を、その搭乗者がかご２２に搭乗していた時間と認識し、この搭乗時間を搭乗日時とともに搭乗実績に追加するように、搭乗時間記憶部１６０が記憶している情報のうちその特徴量に対応する情報を更新する。さらに搭乗時間更新部１６５は、更新後の搭乗実績を用いて、時間特定情報を更新する。
【００４０】
なお、搭乗時間更新部１６５は、情報決定部１４０から、表示部１５０に出力した情報を特定する情報を取得し、この情報を、搭乗者の人特定情報に対応付けて搭乗時間記憶部１６０に記憶させてもよい。このようにすると、搭乗時間記憶部１６０に、表示部１５０に表示された情報が搭乗者別に記憶されることになる。この場合、情報決定部１４０は、ステップＳ８０において、同じ情報が基準回数以上表示部１５０に表示されないように、表示部１５０に表示すべき情報を選択することができる。
【００４１】
また、例えば１階などの特定の階において、複数の搭乗者が同時に乗ってくることがある。この場合、撮像部１１０が生成した画像には複数の搭乗者の顔が含まれる。すると、ステップＳ２０において、画像解析部１２０は、これら複数の搭乗者それぞれの特徴量を生成する。この場合、時間決定部１３０は、ステップＳ４０において、これら複数の特徴量それぞれに対応する時間特定情報を読み出し、さらにステップＳ６０において、これら複数の時間特定情報を用いて、想定時間を決定する。例えば時間決定部１３０は、複数の時間特定情報それぞれに対応する仮の想定時間を設定し、これら仮の想定時間のうち最も長いものを想定時間にする。なお、時間決定部１３０は、仮の想定時間のうち最も短いものを想定時間に設定してもよい。
【００４２】
また、表示装置１０は、顔画像以外の生体情報を用いてエレベータ２０に搭乗している人を特定してもよい。例えば表示装置１０は、さらに音声データを生成する音声データ生成部、及びこの音声データを解析する音声データ解析部を有していてもよい。この場合、表示装置１０は、声紋認証を用いてエレベータ２０に搭乗している人を特定することもできる。また表示装置１０は、顔認証及び声紋認証の双方を用いてエレベータ２０に搭乗している人を特定することもできる。
【００４３】
以上、本実施形態によれば、表示装置１０は、撮像部１１０によって生成された画像データを解析することによって、表示部１５０に表示させるべき情報を決定する。従って、搭乗者がエレベータ２０のかご２２に搭乗してから情報が表示部１５０に表示され始めるまでの時間を短くすることができる。また、エレベータ２０の制御部２４と通信する必要がないため、容易に表示装置１０をエレベータ２０に設置することができる。
【００４４】
なお、本実施形態において、搭乗時間記憶部１６０には、予め人識別情報が登録されていることがある。このような場合としては、エレベータ２０がマンションに設置されている場合、そのマンションの住人の人識別情報が予め登録されるケースがある。また、エレベータ２０がオフィスビルに設置されている場合、そのオフィスビルの中で働く人の人識別情報が予め登録されているケースもある。この場合、情報記憶部１７０は、搭乗時間記憶部１６０に登録されている人向けの情報と、搭乗時間記憶部１６０に登録されていない人向けの情報のそれぞれを区別して記憶していてもよい。そして情報決定部１４０は、搭乗時間記憶部１６０に登録されていない人がかご２２に乗っている場合、搭乗時間記憶部１６０に登録されている人が他にいたとしても、上記した処理を行わずに搭乗時間記憶部１６０に登録されていない人向けの情報を選択してもよい。ただし、情報決定部１４０は、搭乗時間記憶部１６０に登録されていない人のみがかご２２に乗っている場合に、上記した処理を行わずに搭乗時間記憶部１６０に登録されていない人向けの情報を選択してもよい。
【００４５】
（第２の実施形態）
本実施形態に係る表示装置１０は、時刻によって表示させる情報が変わり得る点を除いて、第１の実施形態に係る表示装置１０と同様の構成である。具体的には、本実施形態では搭乗時間記憶部１６０のデータ構成が、第１の実施形態と異なる。
【００４６】
図７は、本実施形態における搭乗時間記憶部１６０のデータ構成をテーブル形式で示す図である。本実施形態において、搭乗時間記憶部１６０は、時間特定情報を時刻範囲別（時間別）に記憶している。このようなデータ構成は、例えばエレベータ２０がオフィスビルに設置されている場合に好適である。
【００４７】
例えば、人が出社すると想定される時間及び退社すると想定される時間において、搭乗者は、オフィスビルの出入り口がある階と、その搭乗者の仕事場がある階の間を移動する場合がほとんどである。一方、それ以外の時間において、搭乗者は、その搭乗者の仕事場がある階と、他の人の仕事場がある階や会議室がある階の間を移動する場合が多い。このため、搭乗時間記憶部１６０は、人が出社すると想定される時刻範囲及び退社すると想定される時刻範囲と、それ以外の時刻範囲において、搭乗者がエレベータ２０のかご２２に搭乗している時間の長さは異なる可能性が高い。本実施形態において、搭乗時間記憶部１６０は、これに対応するために、時刻範囲別に、異なる時間特定情報を記憶している。
【００４８】
そして、表示装置１０の時間決定部１３０は、図６のステップＳ６０において、搭乗者の顔の特徴量に紐づけられている複数の時間特定情報のうち、現在の時刻に対応する時間特定情報を、搭乗時間記憶部１６０から選択する。その結果、表示装置１０は、時刻によって表示させる情報が変わり得る。
【００４９】
本実施形態によっても、第１の実施形態と同様の効果が得られる。さらに、搭乗時間記憶部１６０が、時間特定情報を時刻範囲別（時間別）に記憶している。このため、表示装置１０は、搭乗者がかご２２に搭乗している時間の長さの想定値が時刻によって異なる場合であっても、その時刻における搭乗時間の想定値に合わせた情報を表示部１５０に表示させることができる。
【００５０】
（第３の実施形態）
第３の実施形態に係る表示装置１０は、搭乗時間記憶部１６０が記憶しているデータのデータ構造、想定時間の生成処理、及び搭乗時間記憶部１６０の更新処理を除いて、第１の実施形態又は第２の実施形態に係る表示装置１０と同様の構成である。
【００５１】
図８は、本実施形態に係る表示装置１０の機能構成を示す図である。後述するように、時間特定情報は、かご２２に搭乗している時間の長さではなく、搭乗者がかご２２から降りる可能性が高い階を含んでいる。そして時間決定部１３０は、これらの階の間の移動に必要な時間を、想定時間に決定する。また、搭乗時間更新部１６５は、画像解析部１２０から取得した情報、及びエレベータ２０の制御部２４から取得した情報を用いて、搭乗時間記憶部１６０を更新する。
【００５２】
図９の各図は、本実施形態における搭乗時間記憶部１６０のデータ構成をテーブル形式で示す図である。本実施形態において、搭乗時間記憶部１６０は２種類のデータを記憶している。
【００５３】
まず、搭乗時間記憶部１６０は、図９（Ａ）に示すように、人識別情報別に、時間特定情報及び搭乗実績を記憶している。時間特定情報は、少なくとも、その人が降りる可能性が高い階を示している。また、搭乗時間記憶部１６０は、図９（Ｂ）に示すように、ある階から別の階まで移動するために必要な時間を記憶している。そして時間決定部１３０は、現在の階すなわち搭乗者が乗ってきた階から、時間特定情報が示す階すなわち搭乗者が降りると予想される階まで移動するために必要な時間を、図９（Ｂ）に示す情報を用いて特定し、この時間を想定時間に決定する。
【００５４】
なお、図９（Ａ）に示す例において、搭乗時間記憶部１６０には、一つの人識別情報に対して複数の階（例えば２つ）が時間特定情報として記憶されている。この場合、時間決定部１３０は、例えば、現在のかご２２の移動方向（上行き又は下行き）と、現在の階すなわち搭乗者が乗ってきた階を、制御部２４から取得する。そして、この取得した情報及び時間特定情報を用いて、搭乗者が降りると予想される階を特定する。例えばかご２２が下に移動する場合、時間決定部１３０は、搭乗時間記憶部１６０が記憶している階のうち、現在の階よりも下の階を選択する。一方、かご２２が上に移動する場合、時間決定部１３０は、搭乗時間記憶部１６０が記憶している階のうち、現在の階よりも上の階を選択する。
【００５５】
また、図９（Ｂ）に示す例において、搭乗時間記憶部１６０は、乗ってきた階と降りる階の組み合わせ毎に、移動に必要な時間を記憶している。ただし、搭乗時間記憶部１６０は、乗ってきた階と降りる階の差（１階分移動、２階分移動・・・）毎に、その差の移動に必要な時間を記憶していてもよい。
【００５６】
なお、本実施形態においても、図９（Ａ）に示した時間特定情報は、図７に示したように、時刻範囲別に設定されていてもよい。
【００５７】
次に、本実施形態における搭乗時間記憶部１６０の更新処理について説明する。搭乗時間更新部１６５がエレベータ２０の制御部２４から取得する情報には、エレベータ２０のかご２２が静止した階を示す情報が含まれている。画像解析部１２０は、かご２２が静止している間に撮像部１１０が生成した画像データを解析することにより、当該静止している間にかご２２に乗降した人の顔の特徴量を生成し、搭乗時間更新部１６５に出力する。また、搭乗時間更新部１６５は、制御部２４から取得した情報を用いて、当該静止時にかご２２が位置している階を特定する。そして搭乗時間更新部１６５は、これらの情報を用いて、搭乗者別に、その搭乗者が乗ってきた階及び降りた階を特定する。例えばある階において画像解析部１２０が新規の顔の特徴量が検出した場合、この顔に対応する人がその階で乗ってきたと判断する。一方、ある階において、画像解析部１２０が、ある顔の特徴量を検出しなくなった場合、この顔に対応する人がその階で降りたと判断する。そして搭乗時間更新部１６５は、この特定した階を用いて搭乗時間記憶部１６０を更新する。例えば、搭乗時間更新部１６５は、搭乗者が乗ってきた階及び降りた階、並びに搭乗日時を、その搭乗者の人特定情報に紐づけて搭乗実績として搭乗時間記憶部１６０に記憶させる（搭乗時間記憶部１６０の更新）。
【００５８】
また、搭乗時間更新部１６５は、更新後の搭乗実績を用いて、その人が降りる可能性が高い階すなわち時間特定情報を更新する。例えば搭乗時間更新部１６５は、降車回数が最も多い順に並べた場合の上位の一つまた複数を、時間特定情報の少なくとも一部として記憶する。
【００５９】
以上、本実施形態によっても、第１の実施形態と同様に、表示装置１０は、撮像部１１０によって生成された画像データを解析することによって、表示部１５０に表示させるべき情報を決定する。従って、搭乗者がエレベータ２０のかご２２に搭乗してから情報が表示部１５０に表示され始めるまでの時間を短くすることができる。
【００６０】
（第４の実施形態）
図１０は、第４の実施形態に係る表示装置１０の機能構成を示す図である。本実施形態に係る表示装置１０は、搭乗時間記憶部１６０の更新方法を除いて、第３の実施形態に係る表示装置１０と同様の構成である。
【００６１】
具体的には、表示装置１０は加速度センサ１６８を備えている。そして搭乗時間更新部１６５は、制御部２４から情報を取得する代わりに、加速度センサ１６８からの出力を用いる。具体的には、まず、搭乗時間更新部１６５は、エレベータ２０のかご２２が静止している状態であること、及び現在の階（移動前の階）を認識する。現在の階の認識処理は、例えば外部から取得する情報や、表示装置１０のユーザやメンテナンス担当者によって手入力された情報を用いて行われる。
【００６２】
その後、搭乗時間更新部１６５は加速度センサ１６８が上方向への加速度を検知したとき、かご２２が上方向に移動し始めたと判断する。その後、加速度センサ１６８が下方向の加速度を検知し、その後加速度が０になった時、かご２２が静止したと判断する。そして、搭乗時間更新部１６５は、かご２２の移動時間を用いて、かご２２が移動した階数を特定し、この階数、移動方向、及び移動前の階を用いて、移動後のかご２２の位置（階）を特定する。
【００６３】
逆に、搭乗時間更新部１６５は、かご２２が静止している状態から、加速度センサ１６８が下方向への加速度を検知したとき、かご２２が下方向に移動し始めたと判断する。その後、加速度センサ１６８が上方向の加速度を検知し、その後加速度が０になった時、かご２２が静止したと判断する。そして、搭乗時間更新部１６５は、かご２２の移動時間を用いて、かご２２が移動した階数を特定し、この階数、移動方向、及び移動前の階を用いて、移動後のかご２２の位置（階）を特定する。
【００６４】
上記した処理を繰り返すことにより、搭乗時間更新部１６５は、かご２２の現在の位置を認識し続けることができる。
【００６５】
本実施形態によっても、第１の実施形態と同様の効果が得られる。また、第３の実施形態と異なり、制御部２４と通信する必要がないため、かご２２の中に表示装置１０を容易に設置できる。
【００６６】
（第５の実施形態）
本実施形態に係る表示装置１０は、時刻範囲によって、図６に示した処理を行うか否かを判断する点を除いて、上記した実施形態のいずれかと同様の構成である。具体的には、情報決定部１４０は現在の時刻が第１の時刻範囲に含まれるときに、時間決定部１３０が決定した時間を用いて表示部１５０に表示させる情報を決定する。一方、情報決定部１４０は、現在の時刻が第１の時刻範囲とは異なる第２の時刻範囲に含まれるときに、第１の時刻範囲に含まれるときとは異なる方法で表示部１５０に表示させる情報を決定する。
【００６７】
図１１は、本実施形態において表示装置１０が行う処理の一例を示すフローチャートである。まず、表示装置１０の時間決定部１３０は、現在の時刻があらかじめ設定された時刻範囲（以下、第１の時刻範囲と記載）に入っているか否かを判断する。第１の時刻範囲に現在の時刻が入っている場合（ステップＳ１０：Ｙｅｓ）、表示装置１０は、ステップＳ２０〜ステップＳ１２０に示した処理を行う。一方、現在の時刻が第１の時刻範囲に入っていない場合（ステップＳ１０：Ｎｏ）、すなわち現在の時刻が第１の時刻範囲とは異なる第２の時刻範囲に含まれている場合、予め定められたスケジュールに従って表示部１５０に表示させる情報を決定する（ステップＳ１２）。この広告の表示スケジュールは、例えば情報更新部１７５が情報サーバ３０から取得して情報記憶部１７０に記憶させている。
【００６８】
本実施形態において、第１の時刻範囲は、例えばかご２２への乗り降りが激しい時刻が含まれるように設定される。この場合、ステップＳ２０〜ステップＳ１２０に示した処理は、かご２２への乗り降りが少ない時刻に行われる。
【００６９】
（第６の実施形態）
本実施形態に係る表示装置１０は、複数の搭乗者がエレベータ２０に搭乗してきた場合、時間決定部１３０が、エレベータ２０の搭乗者の数を用いて想定時間を補正する点を除いて、第１〜第５の実施形態のいずれかに係る表示装置１０と同様である。
【００７０】
ある階で複数の搭乗者が搭乗してきた場合、時間決定部１３０は、図１２（Ａ）に示すように、搭乗者別に想定時間を決定する。この決定方法は、第１の実施形態に示した通りである。本実施形態では、第３の実施形態と同様に、搭乗時間記憶部１６０は、時間特定情報の少なくとも一部として、その人が降りる可能性が高い階を記憶している。このため、時間決定部１３０は、乗客別に、エレベータ２０が、その乗客が所望する階に到着するまでに何回他の階に停止するか（以下、停止階数と記載）を特定することができる。この停止階数が多くなるほど、その乗客がエレベータ２０に搭乗している時間は長くなるはずである。そこで時間決定部１３０は、乗客別の想定時間を、その乗客の停止階数を用いて補正する。例えば時間決定部１３０は、図１２（Ｂ）に示すように、停止階数が多くなるにつれて想定時間が長くなるようにする。一例として、時間決定部１３０は、停止階数に定数を乗じた値を想定時間に加える。
【００７１】
そして、時間決定部１３０は、表示部１５０に表示させるべき情報を選択するときに情報決定部１４０が用いるべき想定時間を、搭乗者別の補正後の想定時間を用いて決定する。この処理は、例えば第１の実施形態に示した通りである。
【００７２】
なお、この処理は、エレベータ２０が停止して人が乗降するたびに行われるのが好ましい。例えば、途中の階で人が乗り込んでくる場合や、最も搭乗時間が長いと想定していた人が途中で降りる場合などが想定されるためである。
【００７３】
本実施形態によっても、第１の実施形態と同様の効果が得られる。また、複数の搭乗者が搭乗してきた場合の搭乗者別の搭乗時間を、停止階数を用いて補正するため、精度よく想定時間を算出することができ、その結果、情報決定部１４０は、搭乗者に提供する情報を高い精度で選択することができる。
【００７４】
以上、図面を参照して実施形態及び実施例について述べたが、これらは本発明の例示であり、上記以外の様々な構成を採用することもできる。
【符号の説明】
【００７５】
１０  表示装置
２０  エレベータ
２２  かご
２４  制御部
２６  操作部
３０  情報サーバ
１１０  撮像部
１２０  画像解析部
１３０  時間決定部
１４０  情報決定部
１５０  表示部
１６０  搭乗時間記憶部
１６５  搭乗時間更新部
１６８  加速度センサ
１７０  情報記憶部
１７５  情報更新部
【図１】
2019202875.tif 000003
【図２】
2019202875.tif 000004
【図３】
2019202875.tif 000005
【図４】
2019202875.tif 000006
【図５】
2019202875.tif 000007
【図６】
2019202875.tif 000008
【図７】
2019202875.tif 000009
【図８】
2019202875.tif 000010
【図９】
2019202875.tif 000011
【図１０】
2019202875.tif 000012
【図１１】
2019202875.tif 000013
【図１２】
2019202875.tif 000014